(57)【要約】【課題】本発明は、作用電極に接する２種類の液体の間の界面の形状を変化させる場合に作用電極に印加する電圧を低電圧にすることができるとともに高速で制御することができる界面制御機構及び界面制御方法を提供することを目的とする。【解決手段】作用電極Ｅに接するように配置された第一液体Ｗ及び第一液体Ｗと不混和性を有する第二液体Ｏの間に形成された界面Ｎ３の形状を制御するため、第一液体Ｗに、第二液体Ｏに対して難溶性で作用電極Ｅの電極面に吸着して酸化還元される反応物質Ｃと、反応物質Ｃの支持電解質として機能するイオン性の界面活性剤Ｋとを溶解し、第二液体Ｏに、界面活性剤Ｋを溶解し、反応物質Ｃの酸化還元反応が可逆的に生じるように作用電極Ｅに電圧を印加して第二液体Ｏ内の界面活性剤Ｋが電極面に吸着又は脱離することで界面Ｎ３の形状を変化させる。【選択図】図１
2015141375.tif 000002
【特許請求の範囲】
【請求項１】
作用電極が配置されるとともに当該作用電極の電極面に接するように第一液体及び当該第一液体と不混和性を有する第二液体が配置された液体収容部を備え、前記第一液体及び前記第二液体の間に形成される界面の形状を制御する界面制御機構であって、前記第一液体には、前記第二液体に対して難溶性であるとともに電極反応により前記作用電極の電極面に対して吸着して酸化還元される反応物質及び当該反応物質の支持電解質として機能するイオン性の界面活性剤が溶解しており、前記第二液体には、前記界面活性剤が溶解しており、前記反応物質の酸化還元反応が可逆的に生じるように前記作用電極に電圧を印加する電圧印加部を備えており、電圧印加により前記第二液体が接する前記作用電極の電極面に吸着した前記反応物質の可逆的な酸化還元反応に基づいて前記第二液体内の前記界面活性剤が電極面に吸着又は脱離することで前記界面の形状を変化させる界面制御機構。
【請求項２】
前記電圧印加部は、前記反応物質の酸化還元電位に基づいて設定された電圧範囲において印加電圧を変動させることで、前記反応物質の酸化還元反応を可逆的に生じさせる請求項１に記載の界面制御機構。
【請求項３】
前記界面活性剤は、４級アンモニウム塩を含む請求項１又は２に記載の界面制御機構。
【請求項４】
前記作用電極は複数設けられており、それぞれの前記作用電極の電極面に独立して第二液体が配置されている請求項１から３のいずれかに記載の界面制御機構。
【請求項５】
前記作用電極は複数設けられており、少なくとも２つの前記作用電極の電極面と重なるように前記第二液体が配置されている請求項１から３のいずれかに記載の界面制御機構。
【請求項６】
請求項１から５のいずれかに記載の界面制御機構を備えている表示装置であって、前記界面の形状の変化に基づいて表示を行う表示装置。
【請求項７】
請求項１から５のいずれかに記載の界面制御機構を備えている光学装置であって、前記界面の形状の変化に基づいて光学特性を変化させる光学装置。
【請求項８】
請求項１から５のいずれかに記載の界面制御機構を備えている濃度検知装置であって、前記界面の形状の変化に基づいて前記第二液体中に含まれる前記界面活性剤の濃度変化を検知する濃度検知装置。
【請求項９】
作用電極の電極面に接するように配置された第一液体及び当該第一液体と不混和性を有する第二液体の間に形成された界面の形状を制御する界面制御方法であって、前記第二液体に対して難溶性であるとともに電極反応により前記作用電極の電極面に対して吸着して酸化還元される反応物質及び当該反応物質の支持電解質として機能するイオン性の界面活性剤が前記第一液体に溶解した状態に設定し、前記界面活性剤が前記第二液体に溶解した状態に設定し、前記反応物質の酸化還元反応が可逆的に生じるように前記作用電極に電圧を印加し、電圧印加により前記第二液体が接する前記作用電極の電極面に前記反応物質を吸着させて前記反応物質の可逆的な酸化還元反応に基づいて前記第二液体内の前記界面活性剤が電極面に吸着又は脱離することで前記界面の形状を変化させる界面制御方法。
【発明の詳細な説明】
【技術分野】
【０００１】
本発明は、作用電極に接する２種類の液体の間の界面の形状を制御する界面制御機構及び界面制御方法に関する。
【背景技術】
【０００２】
表示素子としては、液晶表示素子のように光源からの光を遮光することで表示を行うものや電気泳動方式の電子ペーパーのように分散媒体中の白色及び黒色の粒子を電界によって移動させて表示を行うものが開発されている。また、電気化学反応により物質を酸化還元反応させることで吸光度を変化させて明暗を表出することで表示を行うものや色素となる液滴を電極上の撥水性誘電膜に配置して電圧を加えることで液滴の粒径を変化させて表示を行うエレクトロウェッティング（Electrowetting）方式が提案されている。
【０００３】
図１０は、エレクトロウェッティング方式の表示原理に関する説明図である。下部電極１００の上面に誘電体膜１０１が形成されており、撥水性の誘電体膜１０１の上面に液滴１０２が配置されている（図１０（ａ）参照）。そして、図示せぬ上部電極が液滴１０２と電気的に導通するように設定されており、上下の電極に電圧を印加すると、下部電極１００と液滴１０２との間に形成されるキャパシタの静電エネルギー分だけ表面エネルギーが減少して液滴の接触角θが減少する（図１０（ｂ）参照）。図１０では、固相である電極と気相である空気との間の界面エネルギーγSG、気相である空気と液相である液滴との間の界面エネルギーγLG及び固相である電極と液相である液滴との間の界面エネルギーγSLが三相界面において作用して接触角θが設定されており、電圧の印加により界面エネルギーγSLが減少することで、接触角θが減少するようになる。そのため、印加電圧の制御により液滴１０２の形状を変化させて下部電極１００の上面を覆う面積が変化することで、表示素子として用いることができる。
【０００４】
こうしたエレクトロウェッティング方式を用いた表示素子としては、例えば、特許文献１では、不混和性の極性液体及び不極性液体を含む流体室を有する表示素子において、流体室に設けられた２つの電極に電圧を印加することで極性液体及び不極性液体の間の界面を制御するとともに液体に界面活性剤を添加して作動電圧を低下させる点が記載されている。また、特許文献２では、非水性極性溶媒及び着色剤を含む着色流体を用いて着色流体の形状を電圧を印加することで変化させて画素のディスプレイ状態を切り換える点が記載されている。
【０００５】
本発明者らは、これまでに三相界面反応について研究を進め、水溶液中においてフェロセン（ferrocene;Ｆｃ）を含むニトロベンゼン（ＮＢ）の油滴をグラッシィカーボンからなる電極面上に配置して形成された三相界面について電気化学的な反応に関する分析を行い、様々な知見を得ている（非特許文献１から３参照）。
【０００６】
こうした知見によれば、図１１に示すように、塩を含む水溶液２０２中において、電極２００の電極面上にＦｃを含むＮＢがドーム状の油滴２０１が形成されている場合、固相である電極２００と水相である水溶液２０２との間の界面Ｎ１では、水溶液２０２に含まれる塩により電気二重層が形成される。また、固相である電極２００と油相である油滴２０１との間の界面Ｎ２では、電極２００に対する電圧の印加によりＦｃの酸化還元反応が生じるが、支持電解質である塩が水溶液２０２中のみに存在している場合には、界面Ｎ２において酸化還元反応は抑制される。そのため、電極２００、油滴２０１及び水溶液２０２が接するリング状の界面Ｎ３において、Ｆｃの酸化が生じて水溶液２０２中に拡散するようになる。こうしたＦｃの移動に伴い、油滴２０１内に対流２０３が生じるとともに、水溶液２０２中のＦｃが油相内に浸透することで水相及び油相の界面に沿ってエマルション２０４が生じるようになる。このように、三相界面では複雑な電気化学的な反応が生じている。
【先行技術文献】
【特許文献】
【０００７】
【特許文献１】特表２００７−５２８００９号公報
【特許文献２】特表２０１２−５２０４８５号公報
【非特許文献】
【０００８】
【非特許文献１】K. Aoki et al, "Voltammetry of a single oil droplet on a large electrode", Journal of Electroanalytical Chemistry, 2002, 533, pp.119-126.
【非特許文献２】K. Aoki et al, "Electrode reactions at sub-micron oil|water|electrode interfaces", Journal of Electroanalytical Chemistry, 2003, 542, pp.51-60.
【非特許文献３】K. Aoki et al, "Electrochemical coalescence of nitrobenzene |water emulsions", Journal of Electroanalytical Chemistry, 2003, 553, pp.117-124.
【発明の概要】
【発明が解決しようとする課題】
【０００９】
エレクトロウェッティング方式では、液滴の切換動作を行うための印加電圧を高電圧（１０Ｖ〜５０Ｖ）に設定する必要がある。誘電体膜の膜厚を薄くすることで、印加電圧を下げることは可能であるが、誘電体膜を薄くすることは耐久性の面で問題が生じるようになる。
【００１０】
そこで、本発明は、作用電極に接する２種類の液体の間の界面の形状を変化させる場合に作用電極に印加する電圧を低電圧にすることができるとともに高速で制御することができる界面制御機構及び界面制御方法を提供することを目的とする。
【課題を解決するための手段】
【００１１】
本発明に係る界面制御機構は、作用電極が配置されるとともに当該作用電極の電極面に接するように第一液体及び当該第一液体と不混和性を有する第二液体が配置された液体収容部を備え、前記第一液体及び前記第二液体の間に形成される界面の形状を制御する界面制御機構であって、前記第一液体には、前記第二液体に対して難溶性であるとともに電極反応により前記作用電極の電極面に対して吸着して酸化還元される反応物質及び当該反応物質の支持電解質として機能するイオン性の界面活性剤が溶解しており、前記第二液体には、前記界面活性剤が溶解しており、前記反応物質の酸化還元反応が可逆的に生じるように前記作用電極に電圧を印加する電圧印加部を備えており、電圧印加により前記第二液体が接する前記作用電極の電極面に吸着した前記反応物質の可逆的な酸化還元反応に基づいて前記第二液体内の前記界面活性剤が電極面に吸着又は脱離することで前記界面の形状を変化させる。さらに、前記電圧印加部は、前記反応物質の酸化還元電位に基づいて設定された電圧範囲において印加電圧を変動させることで、前記反応物質の酸化還元反応を可逆的に生じさせる。さらに、前記界面活性剤は、４級アンモニウム塩を含む。さらに、前記作用電極は複数設けられており、それぞれの前記作用電極の電極面に独立して第二液体が配置されている。さらに、前記作用電極は複数設けられており、少なくとも２つの前記作用電極の電極面と重なるように前記第二液体が配置されている。
【００１２】
本発明に係る界面制御方法は、作用電極の電極面に接するように配置された第一液体及び当該第一液体と不混和性を有する第二液体の間に形成された界面の形状を制御する界面制御方法であって、前記第二液体に対して難溶性であるとともに電極反応により前記作用電極の電極面に対して吸着して酸化還元される反応物質及び当該反応物質の支持電解質として機能するイオン性の界面活性剤が前記第一液体に溶解した状態に設定し、前記界面活性剤が前記第二液体に溶解した状態に設定し、前記反応物質の酸化還元反応が可逆的に生じるように前記作用電極に電圧を印加し、電圧印加により前記第二液体が接する前記作用電極の電極面に前記反応物質を吸着させて前記反応物質の可逆的な酸化還元反応に基づいて前記第二液体内の前記界面活性剤が電極面に吸着又は脱離することで前記界面の形状を変化させる。
【発明の効果】
【００１３】
本発明によれば、作用電極の電極面に接するように配置された第一液体及び当該第一液体と不混和性を有する第二液体の間に形成された界面の形状を低電圧及び高速で制御することができる。
【図面の簡単な説明】
【００１４】
【図１】三相界面の界面制御機構の制御原理に関する説明図である。
【図２】複数の作用電極を設けた界面制御機構に関する説明図である。
【図３】電流値及び電圧値をプロットしたボルタモグラムである。
【図４】確認実験における測定結果を示すボルタモグラムである。
【図５】掃引速度とピークとなる電流値との相関関係を示すグラフである。
【図６】印加電圧の波形図である。
【図７Ａ】界面を電極表面と直交する方向から撮影した写真である。
【図７Ｂ】界面を電極表面と直交する方向から撮影した写真である。
【図８Ａ】作用電極となる電極体の液体とは反対側から撮影した写真である。
【図８Ｂ】作用電極となる電極体の液体とは反対側から撮影した写真である。
【図８Ｃ】作用電極となる電極体の液体とは反対側から撮影した写真である。
【図８Ｄ】作用電極となる電極体の液体とは反対側から撮影した写真である。
【図９Ａ】リング・ディスク電極体の表面と直交する方向から撮影した写真である。
【図９Ｂ】リング・ディスク電極体の表面と直交する方向から撮影した写真である。
【図１０】エレクトロウェッティング方式の表示原理に関する説明図である。
【図１１】三相界面反応に関する説明図である。
【発明を実施するための形態】
【００１５】
以下、本発明について具体的に説明する。図１は、三相界面の界面制御機構の制御原理に関する説明図である。界面制御機構は、液体を収容する液体収容部１に作用電極Ｅが配置されるとともに、作用電極Ｅの電極面に接するように第一液体Ｗ及び第二液体Ｏが配置されており、作用電極Ｅ、第一液体Ｗ及び第二液体Ｏにより三相界が構成されている。固相である作用電極Ｅと第一液相である第一液体Ｗとの間及び固相である作用電極Ｅと第二液相である第二液体Ｏとの間には、それぞれ界面Ｎ１及びＮ２が形成されている。第二液体Ｏは、第一液体Ｗに対して不混和性を有しているため、第一液体Ｗと第二液体Ｏとの間には、明確な界面Ｎ３が形成されており、界面Ｎ１、Ｎ２及びＮ３が交わる位置に界面Ｎ４が形成されている。この例では、界面Ｎ３がドーム状に形成されており、界面Ｎ３が電極面に接する位置に界面Ｎ４が形成されている。
【００１６】
第一液体Ｗには、電極反応により電極面に対して吸着して酸化還元される反応物質Ｃ及び反応物質Ｃの支持電解質として機能するイオン性の界面活性剤Ｋが溶解しており、図示せぬ電極と電気的に導通状態となるように設定されている。そして、第二液体Ｏにも界面活性剤Ｋが溶解している。反応物質Ｃは、第二液体Ｏに対して難溶性であるのに対し、界面活性剤Ｋは第二液体Ｏに対して可溶性である。そのため、図１（ａ）に示すように、界面活性剤Ｋは、第一液体Ｗと第二液体Ｏとの間を相互に浸透して拡散している。界面活性剤Ｋは、第一液体Ｗと第二液体Ｏとの間を界面Ｎ３を介して移動するが、移動する界面活性剤Ｋの物質量と方向は、界面活性剤Ｋ及び第一液体Ｗの溶解状態における化学ポテンシャルと、界面活性剤Ｋ及び第二液体Ｏの溶解状態における化学ポテンシャルとの差が無くなるように生起し、やがて平衡状態に達して界面活性剤Ｋの移動が停止するようになる。こうしたことから、初期状態において、第一液体Ｗにのみ界面活性剤Ｋを溶解しておき、第一液体Ｗから第二液体Ｏに界面活性剤Ｋが浸透して拡散していくことで、２つの液相間で平衡状態としてもよい。
【００１７】
図１（ｂ）では、作用電極Ｅと対極となる第一液体Ｗに導通する電極との間に電圧印加部２により電圧が印加されており、そのため界面Ｎ１には、支持電解質である界面活性剤Ｋにより電気二重層が形成される。反応物質Ｃは、界面Ｎ１において、電位掃引することで、拡散過程に基づく酸化還元反応が行われるが、界面Ｎ１に吸着することはない。また、反応物質Ｃは、電圧が印加されていない状態では、第二液体Ｏ内に浸透していくことはないが、電圧が印加された状態では、反応物質Ｃが界面Ｎ４において電極反応によりイオン化して第二液体Ｏ内に浸透するとともにエマルションとなって界面Ｎ３から第二液体Ｏ内に浸透して拡散するようになる。
【００１８】
そして、第二液体Ｏ内に拡散した反応物質Ｃは、界面Ｎ２において電極反応により電極面上に吸着し、印加する電圧値により可逆的に酸化還元反応が行われるようになる。例えば、印加電圧を上昇させて所定の電圧を超えると酸化反応が生じ、酸化反応が生じた後印加電圧を降下させて所定の電圧より低下すると還元反応が生じるようになり、こうした電圧変化を繰り返すことで、反応物質Ｃの酸化還元反応を可逆的に行うことができる。
【００１９】
反応物質Ｃの酸化還元反応が生じると、反応物質Ｃの電気的特性の変化に合わせてイオン化された界面活性剤Ｋが界面Ｎ２における電極面に吸着又は脱離を行うようになる。例えば、界面活性剤Ｋが陽イオン化されている場合、負電位とされている電極面に吸着している反応物質Ｃが還元されることで、負電位の電極面を電気的に中性とするために、界面活性剤Ｋが電極面に吸着する。また、反応物質Ｃが酸化されることで、負電位の電極面が電気的に中性化されると、界面活性剤Ｋは電極面から脱離するようになる。
【００２０】
こうした反応物質Ｃの酸化還元反応に伴う界面活性剤Ｋの界面Ｎ２における電極面に対する吸着及び脱離作用により、界面Ｎ２における界面活性剤Ｋの吸着濃度が変化するようになる。界面活性剤Ｋの吸着濃度の変化により界面Ｎ２における界面張力が変化するため、図１０で説明したように、三相の界面エネルギーの増減により接触角が増減することから、第二液体Ｏと作用電極Ｅとの間の界面Ｎ２の界面エネルギーの変化により界面Ｎ３の接触角が変化するようになる。この場合、界面活性剤Ｋの電極面への吸着量は、第二液体Ｏに含まれる界面活性剤Ｋの量に比べて微量であるため、吸着量の変化による第二液体Ｏ内の界面活性剤Ｋの量に与える影響はほとんどない。そのため、第一液体Ｗに含まれる界面活性剤Ｋはほとんど変動することがなく、界面Ｎ１の界面エネルギーはほぼ一定となり、界面Ｎ２の界面エネルギーの変化により界面Ｎ３の接触角が変化するようになる。
【００２１】
その結果、図１（ｂ）に示すように、反応物質Ｃの還元反応により界面活性剤Ｋが電極面に電荷数を中和するのに消費される場合には、界面Ｎ２の付近の界面活性剤Ｋの濃度が下がり界面エネルギーが大きくなって界面Ｎ３及びＮ４の形状は盛り上がるように界面Ｎ３’及びＮ４’に変形し、その表面積が小さくなるように変化する。また、反応物質Ｃの酸化反応により電極面への界面活性剤Ｋの脱離によって界面Ｎ２の付近の界面活性剤Ｋの濃度が上がり界面エネルギーが小さくなると、界面Ｎ３’及びＮ４’はその表面積が大きくなって拡がるように変化する。そして、こうした電極面に対する界面活性剤Ｋの可逆的な変化は、電気的なエネルギーにより行われるが、界面の移動は界面エネルギーの変化によるため、通常の物質の拡散現象に比べて高速で行われる。
【００２２】
したがって、電圧印加部２の電圧を調整して、反応物質Ｃの酸化還元反応が可逆的に生じるようにすることで、界面Ｎ３及びＮ４の形状を可逆的に制御することができる。そして、反応物質Ｃの酸化還元反応を可逆的に生じさせるため電圧範囲は、反応物質Ｃの酸化還元電位（レドックス電位）に基づいて設定することができる。電極表面の反応物質Ｃの酸化還元反応に必要な電位は、理論的には、酸化還元電位よりわずかに高ければ酸化反応が生じ、わずかに低ければ還元反応が生じるが、実際には、溶液の抵抗、反応物質Ｃによる抵抗、液間電位差、熱揺らぎによる電圧降下を相殺するための過剰電圧を設定して印加することが必要である。すなわち、酸化還元電位よりも少なくとも０．０３Ｖより高い電圧を印加すると酸化反応を生じさせることができ、酸化還元電位よりも少なくとも０．０３Ｖより低い電圧を印加することで、還元反応を生じさせることができる。過剰電圧の値は、第一液体Ｗ及び第二液体Ｏに含まれるすべての化合物が分解しない範囲の電圧であればよく、具体的には、−２．０Ｖ〜２．０Ｖの電圧範囲において酸化還元電位に基づいて電圧を変動させればよい。また、実際の酸化還元反応を生じさせるために印加する電圧は、参照電極の材質や設置場所等の条件により変化するが、−１．５Ｖ〜１．５Ｖの電圧範囲で印加電圧を変動させれば、反応物質Ｃの可逆的な酸化還元反応を確実に行うことができ、さらに、酸化還元電位によっては−０．５Ｖ〜０．５Ｖの電圧範囲に設定することも可能で、より低電圧での動作制御が可能となる。こうした反応物質Ｃの可逆的な酸化還元反応に基づく界面活性剤Ｋの電極面への吸着及び脱離による移動で、界面Ｎ２の付近の界面活性剤Ｋの濃度を制御し、界面エネルギーの変化により界面制御を行うため、低電圧で高速の駆動制御が可能となる。
【００２３】
第一液体Ｗ及び第二液体Ｏに用いる液体としては、水及び油の組み合せが好適である。油としては、例えば、ニトロベンゼン、ニトロトルエン、２−ニトロフェニルオクチルエーテル（ＮＰＯＥ）、大豆油、シリコンオイルが挙げられるが、水と不混和性を有する液体であれば、特に限定されない。また、液体には、表示装置や光学装置といった用途に応じて、着色剤、光散乱剤、微小粒子、顔料等を添加することもできる。
【００２４】
作用電極Ｅとしては、上述した液体と反応しない導電性材料を用いることができ、例えば、グラファイト、グラッシィカーボン、白金、ＩＴＯ（酸化インジウムスズ）、ＦＴＯ（フッ素ドープ酸化スズ）、グラフェンシート、ニッケル、ステンレスが挙げられる。
【００２５】
界面活性剤Ｋとしては、上述した液体に可溶性を有するイオン性のものが用いられ、４級アンモニウム塩等の有機陽イオン性の界面活性剤が好ましい。こうした界面活性剤としては、例えば、テトラプロピルアンモニウム、テトラブチルアンモニウム、テトラペンチルアンモニウム、テトラへキシルアンモニウム、テトラへプチルアンモニウム、テトライソペンチルアンモニウムが挙げられる。陽イオンに対応する陰イオン(対アニオン)には、フッ化物イオン、塩化物イオン、臭化物イオン、ヨウ化物イオン、過塩素酸イオン、四フッ化ホウ酸イオン、六フッ化リン酸イオン、硫酸イオン、硝酸イオンが挙げられる。界面活性剤Ｋの液体中の濃度は、定常状態において０．０１モル／リットル〜１モル／リットルに設定することが好ましい。
【００２６】
反応物質Ｃとしては、一方の液体に対して難溶性で他方の液体に対して可溶性を有するとともに、電極面に吸着して可逆的な酸化還元反応を生じるものが用いられる。例えば、フェリシアニド（［Ｆｅ（ＣＮ）6］3-）、ルテニウム錯体が挙げられる。フェリシアニドについては、フェリシアン化カリウム等の化合物を水に溶解させることで得られる。また、ルテニウム錯体については、ヘキサアンミンルテニウム(III)クロリド (1)、トリス(2,2′-ビピリジル)ジクロロルテニウム(II) 六水和物等の化合物を水に溶解させることで得られる。
【００２７】
以上説明した界面制御機構は、表示装置や光学装置に適用することができる。例えば、図１に示す構成では、上方からみて、第二液体Ｏの形状が変化するため、第一液体Ｗ及び電極Ｅとして透明材料を用いるとともに第二液体Ｏに着色液体を用いることで、着色部分の表示面積が変化する表示素子として機能するようになる。また、界面Ｎ３の曲面形状が変化することから、上方から入射する光線の界面Ｎ３における屈折率が変化するようになり、焦点可変レンズとして機能する。また、第二液体Ｏの膜厚が変化することから、第二液体に着色液体を用いて第二液体を通過する光量を変化させることができる。また、第二液体Ｏに光反射性の高い材料を用いることで、反射率が可変の反射材として機能することができる。
【００２８】
作用電極Ｅの形状は、図１に示すようなプレート状以外に用途に合わせて様々な形状に変化させることができ、第二液体Ｏを配置可能な形状であればよく特に限定されない。例えば、作用電極を筒状に形成して、筒状電極内に第二液体Ｏを収容することもできる。この場合、筒状電極に電圧を印加して、上述したように、筒状電極の内周側電極面における界面エネルギーを変化させれば、第二液体Ｏを筒状電極内から露出させるように移動させることもできる。こうした筒状電極に対して出入りする第二液体Ｏの動きを表示装置等に用いることが可能である。
【００２９】
また、図２に示すように、複数の作用電極Ｅ１及びＥ２を間隔を置いて配列しておき、これらの対極となる電極を共通電極として、各作用電極に印加する電圧を適宜切り換えることで、それぞれの作用電極上に独立して配置した第二液体Ｏに様々な動きを行わせることができる。例えば、各作用電極にそれぞれ第二液体Ｏを配置することで、第二液体Ｏをそれぞれ独立して形状変化させることができる（図２（ａ））。また、１つの第二液体Ｏが各作用電極の電極面の両方に重なるように配置することで、各作用電極の電極面の界面張力の変化により第二液体Ｏが作用電極間を可逆的に移動するようになる（図２（ｂ））。この場合、第二液体Ｏが各作用電極の電極面の全部又は一部と重なるように配置されていればよい。
【００３０】
なお、複数の作用電極に第二液体Ｏを配置する場合、一部を作用電極に対応して第二液体Ｏを配置し、一部を複数の作用電極に重なるように配置することもできる。また、２つ以上の作用電極に重なるように第二液体Ｏを配置することもできる。
【００３１】
また、電極面の界面張力の変化により電極面の濡れ性が変化することになるため、第二液体Ｏは濡れ性の良い方に移動していくため、電極面の濡れ性を順次変化させていくことで、第二液体Ｏを所定の方向に連続的に移動させていくこともできる。
【００３２】
こうした第二液体Ｏの移動原理を応用することで、第二液体Ｏを回転運動させたり、直線運動させることが可能となり、マイクロマシンの切換スイッチやモータ、液体分離装置、センサとして機能させることができる。
【実施例】
【００３３】
＜実施例１＞
（装置構成について）
図１に示す第一液体として、０．５モル／リットルのテトラペンチルアミニウム・クロリド（ＴＰＡ・Ｃｌ；東京化成工業株式会社製）及び０．００２モル／リットルのフェリシアン化カリウム（和光純薬工業株式会社製）を混合した水溶液を調製した。ガラス容器の底部に作用電極として円形状のグラッシィカーボン材（ビー・エー・エス株式会社製）を配置し、ガラス容器内に水溶液を２〜３ミリリットル投入し、２０分間放置して脱気した。対極となる電極として白金コイルを水溶液中にセットし、参照電極として飽和塩化カリウム水溶液銀・塩化銀の電極（Ｅ0＝０．２Ｖ vs NHE  ２５℃）を用いた。図１に示す第二液体として、０．５モル／リットルのＴＰＡ・Ｃｌを溶解した２−ニトロフェニルオクチルエーテル（ＮＰＯＥ）（株式会社同仁化学研究所製）を準備し、１０マイクロリットルのマイクロピペッタを用いて３マイクロリットルの第二液体を作用電極表面に配置した。配置したＮＰＯＥである第二液体は、図１に示すように、ドーム状に形成されて明確な界面が生じた。
【００３４】
ＴＰＡ・Ｃｌは、水溶液中で陽イオンＴＰＡ＋を生じ、界面活性剤として機能するようになる。また、ＮＰＯＥにも可溶性であり、定常状態では、ＮＰＯＥ内に均一の濃度で存在するようになる。フェリシアン化カリウムは、水溶液中でフェリシアニド［Ｆｅ（ＣＮ）6］3-を生じるが、ＮＰＯＥに対しては難溶性であるため、イオンの状態でＮＰＯＥ内に浸透することはない。
【００３５】
なお、実施例１では、第一液体及び第二液体にＴＰＡ・Ｃｌを溶解させているが、第一液体にのみＴＰＡ・Ｃｌを溶解させておき、第一液体から第二液体にＴＰＡ・Ｃｌを浸透させて拡散させるようにしてもよい。
【００３６】
（酸化還元反応の測定について）
ポテンシオスタット（Ivium CompactStat；ＩＶＩＵＭ社（オランダ）製）を用いて、電極電位を３０ｍＶ／秒の掃引速度で０．０５Ｖから正の方向に掃引を開始し、０．５Ｖで反転して−０．４Ｖまで負の方向に掃引した後、−０．４Ｖで再び折り返し、正の方向に０．０５Ｖまで掃引して、その間に流れる電流を記録した。界面の変化は、ビデオマイクロスコープ（PICOSCOPEMAN；ショットモリテックス株式会社製）でＮＰＯＥの界面を撮影し、撮影された画像データに基づいて界面のサイズ及び面積を算出した。
【００３７】
図３は、得られた電流値及び電圧値をプロットしたボルタモグラムである。参照電極（Ag/AgCl電極）に対し、０．１Ｖの付近に見られる酸化還元波形は、図１（ａ）に示すＮ１界面における、フェリシアニド［Ｆｅ（ＣＮ）6］3-の水溶液中での酸化還元反応を示しており、フェリシアニド［Ｆｅ（ＣＮ）6］3-の拡散過程による電流値であることが知られている（Analytica Chimica Acta 397 (1999) 113-121  Fig.1 左、Anal. Chem. 1997, 69, 3687-3692）。そして、参照電極に対し、−０．１Ｖの付近に見られる酸化還元波形は、図１（ａ）に示すＮ２界面において、フェリシアニド［Ｆｅ（ＣＮ）6］3-が作用電極Ｅに吸着したことによる酸化還元反応を示すものと考えられる。
【００３８】
（フェリシアニド［Ｆｅ（ＣＮ）6］3-の吸着の確認について）
フェリシアニド［Ｆｅ（ＣＮ）6］3-の電極面に対する吸着を確認するため次のような実験を行った。まず、図１（ａ）に示す三相界面が形成された状態において、第二液体Ｏの容量を大きくしていくと、作用電極Ｅの電極面全体が第二液体Ｏにより覆われる状態に設定することができる。この状態では、作用電極Ｅと第一液体Ｗが接触することがなくなり、界面Ｎ１及びＮ４が存在せず、界面Ｎ２及びＮ３のみ存在するようになる。こうした界面構成を設定するため、上述した装置構成と同様のものを用い、第一液体として、０．１モル／リットルの塩化ナトリウム（ナカライテスク株式会社製）、０．１モル／リットルの過塩素酸ナトリウム（ナカライテスク株式会社製）及び０．００４モル／リットルのフェリシアン化カリウム（和光純薬工業株式会社製）を混合した水溶液を調製し、ガラス容器内に水溶液を５ミリリットル投入した。第二液体として、０．２５モル／リットルのテトラヘプチルアンモニウム・クロリド（シグマ アルドリッチ ジャパン合同会社製）を含むニトロベンゼン（和光純薬工業株式会社製）を準備し、１０マイクロリットルのマイクロピペッタを用いて２０マイクロリットルの第二液体を作用電極表面に配置した。酸化還元される反応物質フェリシアニド［Ｆｅ（ＣＮ）6］3-を含まない油相である第二液体は、作用電極の電極面全体に拡がり、第一液体と作用電極とが接触していない状態に設定された。
【００３９】
図４は、確認実験における測定結果を示すボルタモグラムである。なお、図４に示すグラフでは、液間電位差、使用した支持電解質の種類及び濃度等の条件の違いから、図３に示す測定結果と異なっており、図４に示す０．３Ｖ付近の酸化還元波形の電位が図３に示す−０．１Ｖ付近の酸化還元波形の電位に対応している。
【００４０】
図４では、曲線（ａ）が３０ｍＶ／秒を、曲線（ｂ）が２０ｍＶ／秒を、及び、曲線（ｃ）が１０ｍＶ／秒を、それぞれ示している。各曲線では、正方向及び負方向の掃引により電流値のピークが生じており、電極表面において酸化還元反応が生じているものと考えられる。そして、ピークの電流値は、０．２２Ｖ〜０．２８Ｖの電圧値の範囲で生じていた。
【００４１】
比較のため、０．００２モル／リットルのフェリシアン化カリウムの水溶液のみをガラス容器内に投入して同様の測定を行ったところ、ピーク時の還元波形の電圧値は、０．０６Ｖとなった。したがって、図４に示すピーク時の電圧値は、フェリシアニド［Ｆｅ（ＣＮ）6］3-の場合の電圧値に近似していることがわかる。
【００４２】
図５は、掃引速度とピークとなる電流値との相関関係を示すグラフである。○印のグラフは、正方向に掃引した際のピーク値であり、△印のグラフは負方向に掃引した際のピーク値である。いずれのグラフも比例関係を示しており、電位の掃引速度とピーク電流値とが比例関係にあることは、得られた電流値が、物質の拡散ではなく電極表面に酸化還元される反応物質が吸着固定しての反応によるものであることを示している。したがって、フェリシアニド［Ｆｅ（ＣＮ）6］3-が電極表面に吸着して酸化還元反応を行っているものと考えられる。最も遅い掃引速度（５ｍＶ／秒）における正電極及び負電極の電荷量に基づいて吸着量密度を算出したところ、２×１０-10モル／ｃｍ2が得られた。この密度は、フェリシアニド［Ｆｅ（ＣＮ）6］3-が単分子吸着していることを示している。
【００４３】
ニトロベンゼンにフェリシアン化カリウムを添加して超音波振動を加えることで調製した分散液のみをガラス容器に投入して同様の測定を行ったところ、図４に示すような電流値の変化は見られなかった。このことから、図４に示す電流値のピークは、フェリシアニド［Ｆｅ（ＣＮ）6］3-を含む水溶液がエマルションとして第二液体中に存在していることを示唆している。水溶液の存在を確認するため、作用電極としてリチウム電極を用いて、確認実験用に調製した混合水溶液及びニトロベンゼンをガラス容器内に配置して作用電極に電圧を印加する実験を行った。電圧の印加によりリチウム電極表面に細かい泡が発生し、水素ガスの発生が確認された。ニトロベンゼンのみで同様の実験を行った場合には泡の発生が認められなかったことから、電極表面に水がエマルションとしてニトロベンゼン内に存在していることが確認できた。
【００４４】
以上のことから、作用電極に電圧を印加することで、電極表面にフェリシアニド［Ｆｅ（ＣＮ）6］3-が吸着して可逆的な酸化還元反応を行っていることがわかる。
【００４５】
（界面の形状変化の測定について）
次に、最初に調製した混合水溶液及びＮＰＯＥをガラス容器内に配置して作用電極上にドーム状の界面を形成した状態に設定し、図６に示す交流波形の電圧を印加した。基準となる電圧Ｖ0を、図３に示す酸化還元波形における−０．１Ｖ付近のピーク時の電圧値に近い値（−０．１Ｖ）に設定し、最大振幅０．５Ｖ及び周期４秒とした。このように設定することで、基準電圧Ｖ0を超えるとフェリシアニド［Ｆｅ（ＣＮ）6］3-の酸化反応が生じ、基準電圧Ｖ0より下がると還元反応が生じるため、酸化還元反応が可逆的に繰り返し生じるようになる。
【００４６】
こうした電圧の印加により電圧の周期に合わせてドーム状の界面が盛り上がるように可逆的に変化する様子が観察された。図７Ａは、−０．１５Ｖの電圧を印加した時の界面を電極表面と直交する方向から撮影した写真であり、図７Ｂは、０Ｖの電圧を印加した時の界面を電極表面と直交する方向から撮影した写真である。
【００４７】
それぞれの写真の画像データに基づいてドーム状のＮ２界面のサイズを測定したところ、電極表面に接するリング状の楕円形状の長径及び短径は、それぞれ、０．２Ｖ以上では２．０４ｍｍ及び１．７６ｍｍで、−０．２Ｖ以下では２．４７ｍｍ及び１．７６ｍｍであった。したがって、電極表面を覆うＮＰＯＥの表示面積は、長径方向に約２０％変動しており、面積比では約４５％変動していることが確認された。
【００４８】
また、ドーム状のＮ２界面の電極面からの高さは、−０．１５Ｖでは２００μｍで、０Ｖでは１００μｍであった。また、Ｎ４界面の囲む面積については、概算で、−０．１５Ｖでは０．９８ｍｍ2で、０Ｖでは２．８ｍｍ2であった。したがって、還元電位（−０．１５Ｖ）では、Ｎ２界面の界面形状が酸化電位（０Ｖ）よりも盛り上がるように変化していることが確認された。
【００４９】
こうした界面の可逆的な変形は、フェリシアニド［Ｆｅ（ＣＮ）6］3-の酸化還元反応に同期して生じていることから、電極表面に吸着したフェリシアニド［Ｆｅ（ＣＮ）6］3-の酸化還元反応に伴って陽イオンＴＰＡ＋の電極表面への吸着及び脱離が生じているものと考えられる。すなわち、上述したように、フェリシアニド［Ｆｅ（ＣＮ）6］3-の吸着密度は、２×１０-10モル／ｃｍ2であることから、陽イオンＴＰＡ＋の電極表面への吸着量は微量であり、液体中の陽イオンＴＰＡ＋の濃度はほとんど変化することがない。そのため、界面の可逆的な変形は、陽イオンＴＰＡ＋の電極表面への吸着及び脱離に基づく電極表面の界面エネルギーの変化によるものと考えられる。
【００５０】
＜実施例２＞
次に、複数の作用電極を用いて各作用電極に配置された第二液体の界面形状の制御に関する実験を行った。
【００５１】
（装置構成について）
第一液体として、実施例１と同様に、０．５モル／リットルのＴＰＡ・Ｃｌ及び０．００２モル／リットルのフェリシアン化カリウムを混合した水溶液を調製した。ガラス容器の底部に作用電極として、ガラス基板にＩＴＯを形成した電極体（株式会社倉元製作所製）を配置した。電極体は、中心位置に沿って幅０．３ｍｍでエッチングして絶縁処理し、両側を一対の作用電極とした。ガラス容器内に水溶液を２〜３ミリリットル投入し、２０分間放置して脱気した。第二液体として、０．５モル／リットルのＴＰＡ・Ｃｌを溶解したニトロベンゼン（和光純薬工業株式会社製）を準備し、１０マイクロリットルのマイクロピペッタを用いて１〜３マイクロリットルの第二液体を一対の作用電極のそれぞれの電極表面に複数個配置した。ニトロベンゼンには、水溶液との間にドーム状の界面が明確に形成された。対極となる電極として白金コイルを水溶液中にセットし、一対の作用電極に対する共通電極とした。
【００５２】
（界面形状の制御について）
電源として市販のニッケル水素電池（起電力；約１．３４Ｖ）を用いて、作用電極に独立して電圧を印加するように各電極を接続した。そして、それぞれの作用電極に、０．６７Ｖ及び−０．６７Ｖを交互に印加して、電極表面に配置したニトロベンゼンと水溶液との間の界面形状を観察した。この場合、実施例１で述べたように、電極表面には、フェリシアニド［Ｆｅ（ＣＮ）6］3-が吸着しており、０．６７Ｖでは酸化反応が生じ、−０．６７Ｖでは還元反応が生じるようになる。
【００５３】
（観察結果について）
図８Ａから図８Ｄは、作用電極となる電極体の液体とは反対側から撮影した写真である。撮影には、デジタル一眼カメラ（NEX-5N；ソニー株式会社製）にマウント用レンズ（安原製作所株式会社製）を取り付けて用いた。写真の中央において左右方向に所定幅で薄く表示された直線部分が絶縁した箇所であり、その上側及び下側がそれぞれ作用電極となっている。上下の作用電極に０．６７Ｖを印加した場合（図８Ａ）には、上下の作用電極とも、同じように電極表面の界面形状が拡がるように変化したことが観察された（写真では、界面を示すラインが薄くなっている）。上側の作用電極に−０．６７Ｖを印加し、下側の作用電極に０．６７Ｖを印加した場合（図８Ｂ）には、上側の作用電極の電極表面の界面形状は略円形に小さくまとまるように変化し、下側の作用電極の電極表面の界面形状は拡がるように変化したことが観察された（写真では、界面形状がまとまることで円形のラインが明確になっている）。上側の作用電極に０．６７Ｖを印加し、下側の作用電極に−０．６７Ｖを印加した場合（図８Ｃ）には、上側の作用電極の電極表面の界面形状は拡がるように変化し、下側の作用電極の電極表面の界面形状は小さくまとまるように変化したことが観察された。上下の作用電極に−０．６７Ｖを印加した場合（図８Ｄ）には、上下の作用電極とも、同じように電極表面の界面形状が円形に小さくまとまるように変化したことが観察された。
【００５４】
以上の観察結果から、還元電圧を印加すると界面形状は小さくまとまり、酸化電圧を印加すると界面形状は大きく拡がることが確認されるとともに、共通電極となる対極に対して、複数の作用電極において独立して界面形状が制御できることが確認された。
【００５５】
＜実施例３＞
次に、複数の作用電極に重なるように第二液体を配置した場合の界面形状の変化に関する実験を行った。
【００５６】
（装置構成について）
図１に示す第一液体として、実施例１と同様に、０．５モル／リットルのＴＰＡ・Ｃｌ及び０．００２モル／リットルのフェリシアン化カリウムを混合した水溶液を調製した。ガラス容器の底部に作用電極として白金によるリング・ディスク電極体（NIKKO KEISOKU社製）を配置した。電極体は、周方向の中央位置に沿って幅０．１ｍｍでエッチングして絶縁処理し、外周側電極及び内周側電極を形成して一対の作用電極とした。
【００５７】
ガラス容器内に水溶液を２〜３ミリリットル投入し、２０分間放置して脱気した。第二液体として、実施例１と同様に、０．５モル／リットルのＴＰＡ・Ｃｌを溶解したＮＰＯＥを準備し、１０マイクロリットルのマイクロピペッタを用いて３マイクロリットルの第二液体を外周側電極及び内周側電極の間に投入して両側の電極表面に部分的に重なるように配置した。配置したＮＰＯＥには、水溶液との間にドーム状の明確な界面が形成された。対極となる共通電極として白金コイルを水溶液中にセットした。
【００５８】
（界面形状の制御について）
実施例２と同様に、電源として市販のニッケル水素電池（起電力；約１．３４Ｖ）を用いて、外周側電極及び内周側電極にそれぞれ独立して電圧を印加するように各電極を接続した。そして、外周側電極及び内周側電極に、それぞれ０．６７Ｖ及び−０．６７Ｖを交互印加して、電極表面に配置したＮＰＯＥと水溶液との間の界面形状を観察した。この場合、実施例１で述べたように、電極表面には、フェリシアニド［Ｆｅ（ＣＮ）6］3-が吸着しており、０．６７Ｖでは酸化反応が生じ、−０．６７Ｖでは還元反応が生じるようになる。
【００５９】
（観察結果について）
図９Ａ及び図９Ｂは、リング・ディスク電極体の表面と直交する方向から撮影した写真である。撮影には、実施例２と同様の撮影装置を用いた。写真において周方向の中央に沿って黒く表示された曲線部分が絶縁した箇所であり、その上側が外周側電極であり、下側が内周側電極となっている。外周側電極に酸化電位（０．６７Ｖ）を印加するとともに内周側電極に還元電位（−０．６７Ｖ）を印加した場合（図９Ａ）、第二液体は、外周側電極に向かって矢印で示すように移動する様子が観察された。また、外周側電極に還元電位（−０．６７Ｖ）を印加するとともに内周側電極に酸化電位（０．６７Ｖ）を印加した場合（図９Ｂ）、第二液体は、内周側電極に向かって矢印で示すように移動する様子が観察された。
【産業上の利用可能性】
【００６０】
本発明に係る界面制御機構は、２つの異なる液体の間に形成された界面の形状を制御することができるので、界面形状を変化させて表示する電子ペーパー等の表示装置、界面形状の変化により光学的な特性を変化させる焦点可変レンズ等の光学装置、界面形状の変化に伴う液体の動きを利用した切換スイッチ素子等のアクチュエータに適用できる。また、界面を介した二相間の化学ポテンシャルの大小関係を鋭敏に検出できることから、吸着電極にイオン選択性を持たせることで、高精度のイオン濃度センサへの応用が期待される。
【符号の説明】
【００６１】
１・・・液体収容部、２・・・電圧印加部、Ｗ・・・第一液体、Ｏ・・・第二液体、Ｅ・・・作用電極、Ｎ１〜Ｎ４・・・界面
【図１】
2015141375.tif 000003
【図２】
2015141375.tif 000004
【図３】
2015141375.tif 000005
【図４】
2015141375.tif 000006
【図５】
2015141375.tif 000007
【図６】
2015141375.tif 000008
【図１０】
2015141375.tif 000009
【図１１】
2015141375.tif 000010
【図７Ａ】
2015141375.tif 000011
【図７Ｂ】
2015141375.tif 000012
【図８Ａ】
2015141375.tif 000013
【図８Ｂ】
2015141375.tif 000014
【図８Ｃ】
2015141375.tif 000015
【図８Ｄ】
2015141375.tif 000016
【図９Ａ】
2015141375.tif 000017
【図９Ｂ】
2015141375.tif 000018